(57)【要約】  電機子は、６つの分割要素（２１Ａ〜２１Ｆ）を略環状に配置し形成される。各分割要素は、互いに隣接する第１ティースおよび第２ティースと、各ティースを覆うインシュレータと、導線（２１３１）が巻回されて形成されるコイルとを有する。導線（２１３１）は、第１ティースに反時計回りに巻回されて第１コイル（２１３ａ）を形成し、第１コイル（２１３ａ）から連続して第２ティースに時計回りに巻回されて第２コイル（２１３ｂ）を形成する。導線（２１３１）の一方の導線端部（２１３２）は上方に引き出され、他方の導線端部（２１３３）は下方に引き出される。この構造により、電機子の組立時に各分割要素（２１Ａ〜２１Ｆ）の上下を区別する必要がないため、組立の作業効率が向上される。
2009113520.tif 000002
【特許請求の範囲】
【請求項１】
電動式のモータであって、
略環状の電機子を有するステータ部と、
前記電機子の内周または外周に対向するロータ部と、
前記ロータ部を前記ステータ部に対して前記電機子の中心軸を中心に回転可能に支持する軸受機構と、
前記電機子に接続された配線部と、
を備え、
前記電機子が、略同一構造の６個の分割要素を略環状に配列して有し、
前記６個の分割要素のそれぞれが、
径方向に伸びるとともに互いに隣接する第１ティースおよび第２ティースと、
前記第１ティースおよび前記第２ティースを覆うインシュレータと、
前記インシュレータ上から前記第１ティースに巻回されて第１コイルを形成し、前記第１コイルから連続して前記第１コイルにおける巻回方向とは反対の巻回方向に前記インシュレータ上から前記第２ティースに巻回されて第２コイルを形成する導線と、
を備え、
前記電機子において、前記第１ティースと前記第２ティースとが周方向に交互に配置され、
前記導線の一方の端部および他方の端部が、前記中心軸方向における前記電機子の一方側および他方側にそれぞれ引き出され、
前記配線部が、
前記電機子の前記一方側にて、前記６個の分割要素のそれぞれの前記導線の前記一方の端部と外部の電源とを電気的に接続する第１配線構造と、
前記電機子の前記他方側にて、前記中心軸を挟んで対向する３対の分割要素の各対の前記導線の前記他方の端部を電気的に接続する第２配線構造と、
を備えることを特徴とする電動式のモータ。
【請求項２】
請求項１に記載のモータにおいて、
前記配線部により、前記３対の分割要素がスター結線にて接続されていることを特徴とするモータ。
【請求項３】
請求項１に記載のモータにおいて、
前記配線部により、前記３対の分割要素がデルタ結線にて接続されていることを特徴とするモータ。
【請求項４】
請求項１ないし３のいずれかに記載のモータにおいて、
前記インシュレータが、前記中心軸方向における前記電機子の前記一方側において略周方向に伸びるとともに径方向に並ぶ複数の溝を有し、前記第１配線構造が有する複数の配線部材が前記複数の溝に保持されることを特徴とするモータ。
【請求項５】
請求項４に記載のモータにおいて、
前記複数の溝の数が２であることを特徴とするモータ。
【請求項６】
請求項１ないし３のいずれかに記載のモータにおいて、
前記第１配線構造が、複数の配線部材の一部を樹脂にてモールドしたバスバーユニットを有することを特徴とするモータ。
【請求項７】
請求項１ないし６のいずれかに記載のモータにおいて、
前記インシュレータが、前記中心軸方向における前記電機子の前記他方側において略周方向に伸びるとともに径方向に並ぶ複数の溝を有し、前記第２配線構造が有する複数の配線部材が前記複数の溝に保持されることを特徴とするモータ。
【請求項８】
請求項７に記載のモータにおいて、
前記電機子の前記他方側の前記複数の溝の数が２であることを特徴とするモータ。
【請求項９】
請求項１ないし８のいずれかに記載のモータにおいて、
前記電機子の導線と前記第１配線構造とが溶接により接合されていることを特徴とするモータ。
【発明の詳細な説明】
【技術分野】
【０００１】
本発明は、電動式のモータに関連する。
【背景技術】
【０００２】
従来、電動式のモータにおいて、小型化やコスト削減等のための様々な技術が提案されている。例えば、特開平９−２００９９１号公報では、コイルの引出線および引出線を外部へ接続するための配線部材を固定子の下側に配置し、中性点用の接続板を固定子の上側に配置した車載用モータが開示されている。
【特許文献１】特開平９−２００９９１号公報
【発明の開示】
【発明が解決しようとする課題】
【０００３】
ところで、電機子の構造が複雑な場合、結線作業でミスが発生しやすくなり、組立の作業効率が低下する恐れがある。また、コイルと配線部をＴＩＧ(Tungsten Inert Gas)溶接等で接続する際に、隣接する接続部同士の距離が近いと作業が困難となるため、モータの小型化にも制約が生じる。
【課題を解決するための手段】
【０００４】
本発明の一例のモータは、ステータ部、ロータ部、軸受機構、および、配線部を備える。電機子は、同一構造の６個の分割要素を略環状に配列して形成される。各分割要素は、互いに隣接する第１ティースおよび第２ティースと、第１ティースおよび第２ティースを覆うインシュレータと、各ティースに巻回される導線とを備える。導線は、インシュレータ上から第１ティースに巻回されて第１コイルを形成し、第１コイルから連続して第１コイルにおける巻回方向とは反対の巻回方向に、インシュレータ上から第２ティースに巻回されて第２コイルを形成する。第１ティースおよび第２ティースは、周方向に交互に配置される。導線の一方の端部および他方の端部は、中心軸方向における電機子の一方側および他方側にそれぞれ引き出される。配線部は、第１配線構造および第２配線構造を備える。第１配線構造は、電機子の一方側にて、導線の一方の端部と外部の電源とを電気的に接続する。第２配線構造は、電機子の他方側にて、中心軸を挟んで対向する３対の分割要素における、各対の導線の他方の端部を電気的に接続する。
【発明の効果】
【０００５】
本発明の一例のモータは、モータの組立の作業効率を向上することができる。
【図面の簡単な説明】
【０００６】
【図１】図１は、本発明の第１の好ましい実施形態に係るモータを模式的に示す断面図である。
【図２】図２は、本発明の第１の好ましい実施形態に係るステータカバーを模式的に示す底面図である。
【図３】図３は、本発明の第１の好ましい実施形態に係る上カバーを模式的に示す平面図である。
【図４】図４は、本発明の第１の好ましい実施形態に係る電機子を模式的に示す平面図である。
【図５】図５は、本発明の第１の好ましい実施形態に係る電機子を模式的に示す平面図である。
【図６】図６は、本発明の第１の好ましい実施形態に係るインシュレータを模式的に示す斜視図である。
【図７】図７は、本発明の第１の好ましい実施形態に係る電機子の一部を模式的に示す断面図である。
【図８】図８は、本発明の第１の好ましい実施形態に係る分割要素を模式的に示す図である。
【図９】図９は、本発明の第１の好ましい実施形態に係る電機子を模式的に示す底面図である。
【図１０】図１０は、本発明の第１の好ましい実施形態に係る電機子の配線を模式的に示す図である。
【図１１】図１１は、本発明の第１の好ましい実施形態の他の例に係る電機子を模式的に示す平面図である。
【図１２】図１２は、本発明の第１の好ましい実施形態の他の例に係る電機子の配線を模式的に示す図である。
【図１３】図１３は、本発明の第２の好ましい実施形態に係るモータを模式的に示す断面図である。
【図１４】図１４は、本発明の第２の好ましい実施形態に係るバスバーユニットを模式的に示す斜視図である。
【符号の説明】
【０００７】
１，１ａ    モータ
２    ステータ部
３    ロータ部
４    軸受機構
１２    配線部
１２ａ    第１配線構造
１２ｂ    第２配線構造
２１    電機子
３３    界磁用磁石
１２１    バスバー
１２３    バスバーユニット
２１Ａ〜２１Ｆ    分割要素
２１２    インシュレータ
２１３ａ    第１コイル
２１３ｂ    第２コイル
２１１１ａ    第１ティース
２１１１ｂ    第２ティース
２１２６    溝
２１３１    導線
２１３２，２１３３    導線端部
Ｊ１    中心軸
【発明を実施するための最良の形態】
【０００８】
以下、本発明の好ましい実施形態について、図面を参照して説明する。なお、本発明の好ましい実施形態の説明において、各部材の位置関係や方向を上下左右で説明するときは、図面における位置関係や方向を示し、実際の機器に組み込まれたときの位置関係や方向を示すものではない。【０００９】
図１は、本発明の第１の好ましい実施形態に係る電動式のモータ１を模式的に示す断面図である。図１では、断面より奥側の構成の一部も示している。また、平行斜線を付すことなく断面を示している。モータ１は自動車に搭載され、パワーウィンドウやパワースライドドア等の駆動源として使用される。また、モータ１は、中心軸Ｊ１方向の高さが外径に比べて小さい薄型構造となっている。図１に示すように、モータ１はインナロータ型のモータである。モータ１は、中心軸Ｊ１を中心とする略環状の電機子２１を有するステータ部２、電機子２１内に挿入されるロータ部３、および、軸受機構４を備える。軸受機構４は、ロータ部３をステータ部２に対して中心軸Ｊ１を中心に回転可能に支持する。さらにモータ１は、ロータ部３の回転位置を検出するセンサ部５、電機子２１の上面を覆う上カバー１０、電機子２１の上方に位置する略板状の樹脂プレート１１、および、電機子２１に接続される配線部１２を備える。【００１０】
ロータ部３は、略円柱状のシャフト３１、略円筒状のロータコア３２、略環状の界磁用磁石３３、センサ用磁石３４、および、ロータカバー３５を有する。ロータコア３２は、金属の薄板を複数枚積層して形成される。界磁用磁石３３は、電機子２１の内周に対向するようにロータコア３２の外側面に配置される。センサ用磁石３４は、ロータコア３２の上面に配置され、ロータコア３２と一体に回転する。ロータカバー３５は、界磁用磁石３３およびセンサ用磁石３４を覆う。ステータ部２は、電機子２１および電機子２１を覆う有底略円筒状のステータカバー２２を有する。電機子２１は、ステータカバー２２および上カバー１０に囲まれた空間に収納される。以下の説明では、便宜上、中心軸Ｊ１に沿って上カバー１０側を上側、ステータカバー２２側を下側として説明するが、中心軸Ｊ１は必ずしも重力方向に一致する必要はない。【００１１】
電機子２１は、コア２１１、コア２１１を覆うインシュレータ２１２、および、コイル２１３を有する。コア２１１は、薄板状の珪素鋼板を複数枚積層して形成される。コイル２１３は、インシュレータ２１２を介してコア２１１に巻回される。電機子２１の上面および下面には、電機子２１への駆動電流の供給路となる配線部１２のバスバー１２１が配置される。上面側のバスバー１２１は樹脂プレート１１に覆われ、ステータカバー２２から外部に突出するコネクタ部１２２を介して外部電源と接続される。軸受機構４は、中心軸Ｊ１に沿って配列された一対の玉軸受４１，４２を備える。玉軸受４１，４２は、ステータカバー２２の略中央に設けられた軸受保持部２２１３、および、上カバー１０の略中央に設けられた軸受保持部１０３に保持される。センサ部５は、回路基板および磁界検出素子（例えば、ホール素子）であるセンサを有する。センサ部５は、ロータ部３に取り付けられているセンサ用磁石３４の磁界をセンサで検出し、電機子２１に対するロータ部３の回転位置を検出する。【００１２】
図２は、ステータカバー２２を模式的に示す底面図である。図１および図２に示すように、ステータカバー２２は略円板状の底部２２１、略円筒状の側壁部２２２、および、略三角形状のフランジ部２２３を有する。底部２２１は、略中央にシャフト３１が挿入される穴部２２１１、および、穴部２２１１の周囲にて中心軸Ｊ１を中心として上方に突出する環状凸部２２１２を有する。環状凸部２２１２の内側の部位は、玉軸受４１を保持する軸受保持部２２１３となっている。側壁部２２２は、底部２２１の外縁から上方に伸びる。また、フランジ部２２３は、側壁部２２２の上端から中心軸Ｊ１に略垂直な方向に広がる。フランジ部２２３の３つの角部には、上カバー１０との締結用の穴部２２３１が設けられている。また、フランジ部２２３の一部は、コネクタ部１２２が配置される位置にて側壁部２２２の一部と共に切り取られている。【００１３】
図３は、電機子２１の上面を覆う上カバー１０を模式的に示す平面図である。上カバー１０は、フランジ部２２３と同様な略三角形であり、穴部１０４がステータカバー２２の穴部２２３１に対応する３箇所に形成されている。また、図１および図３に示すように、上カバー１０は略中央にシャフト３１が挿入される穴部１０１、および、穴部１０１の周囲にて中心軸Ｊ１を中心として下方に突出する環状凸部１０２を有する。環状凸部１０２の内側の部位は、玉軸受４２を保持する軸受保持部１０３となっている。【００１４】
図４は、電機子２１のバスバーを配置する前の状態を模式的に示す平面図である。図５は、バスバーが配置された後の電機子２１を模式的に示す平面図である。電機子２１のコア２１１は、１２個の分割コアを周方向に配列して形成される。図４および図５では、互いに隣接する１対の分割コアに対応する６個の分割要素に符号２１Ａ〜２１Ｆを付している。コア２１１は、中心軸Ｊ１を中心として径方向に伸びる１２個のティース２１１１、および、各ティース２１１１を中心軸Ｊ１とは反対側で接続する略環状のコアバックを有する。なお、図４および図５では、ティース２１１１に符号２１１１ａまたは２１１１ｂを付している。図４に示すように、各ティース２１１１はインシュレータ２１２により覆われる。インシュレータ２１２は、上下が逆の２つのインシュレータ部品２１２１を組み合わせて構成される。【００１５】
図６は、インシュレータ部品２１２１を模式的に示す斜視図である。図７は、図５中の矢印Ａにて示す位置での電機子２１の断面を模式的に示す図である。図７は、インシュレータ２１２によりティース２１１１の一部が覆われたコア２１１を示す。図６および図７に示すように、インシュレータ部品２１２１は、径方向内側にて中心軸Ｊ１に略平行に突出する内壁部２１２２、および、径方向外側にて中心軸Ｊ１に略平行に突出する外壁部２１２３を有する。内壁部２１２２は、略円筒面状となっており、外壁部２１２３は中心軸Ｊ１に略平行な板状となっている。内壁部２１２２と外壁部２１２３との間には、ティース２１１１の上面または下面を覆う底部２１２４、および、ティース２１１１の側面を覆う側部２１２５が設けられる。外壁部２１２３の外側には、２つの溝２１２６が略平行に並ぶように設けられる。なお、図６では２つの溝２１２６のうち一方が外壁部２１２３に隠れている。【００１６】
図４に示すように、インシュレータ２１２が周方向に配列されることにより、各インシュレータ２１２が有する２つの溝２１２６と、隣接するインシュレータ２１２が有する２つの溝２１２６とが連なる。これにより、電機子２１の上面側に２つの溝がコアバックに沿って略周方向に伸びるとともに、径方向に並ぶ。電機子２１では、全てのインシュレータ２１２の形状が共通化されることにより、製造コストが削減される。なお、図７中に二点鎖線にて示すように、コイル２１３を形成する導線は、インシュレータ２１２の内壁部２１２２と外壁部２１２３との間に巻回され、２つの溝２１２６は複数のコイル２１３の外側に配置される。【００１７】
図４に示すように、６つの分割要素２１Ａ〜２１Ｆは略環状に配列されることにより電機子２１を形成する。６つの分割要素２１Ａ〜２１Ｆは同一構造を有し、各分割要素は互いに隣接する第１ティース２１１１ａ、および第２ティース２１１１ｂを有する。図８は、分割要素２１Ａの概略を中心軸Ｊ１側から示す図である。図８に示すように、第１ティース２１１１ａは第２ティース２１１１ｂの左側に配置される。また、図８に示すように、第１ティース２１１１ａを覆うインシュレータ２１２に導線２１３１を巻回することにより、第１コイル２１３ａが形成され、第２ティース２１１１ｂを覆うインシュレータ２１２に導線２１３１を巻回することにより、第２コイル２１３ｂが形成される。なお、図８では、コイル２１３を形成する導線２１３１を折れ線にて示している。【００１８】
第１コイル２１３ａは、導線２１３１がインシュレータ２１２上から第１ティース２１１１ａに、中心軸Ｊ１から見て反時計回りに巻回されることにより形成される。第２コイル２１３ｂは、導線２１３１が第１コイル２１３ａから連続して第１コイル２１３ａにおける巻回方向とは反対の巻回方向に、インシュレータ２１２上から第２ティース２１１１ｂに巻回されることにより形成される。導線２１３１の第１コイル２１３ａ側の導線端部２１３２は上方に引き出され、第２コイル２１３ｂ側の他方の導線端部２１３３は下方に引き出される。なお、既述のように分割要素２１Ａ〜２１Ｆは略環状に配列されるため、第１ティース２１１１ａと第２ティース２１１１ｂとは、図４に示すように周方向に交互に配置される。【００１９】
図５に示すように、配線部１２は、電機子２１の上面側に配置される第１配線構造１２ａを有する。第１配線構造１２ａは、導電性材料で形成された略板状の複数の配線部材として、Ｕ相バスバー１２１ａ、Ｖ相バスバー１２１ｂ、Ｗ相バスバー１２１ｃ、および、中性点バスバー１２１ｄを有する。以下では、これらのバスバーを適宜「バスバー１２１」と総称する。図５に示すように、Ｕ相バスバー１２１ａ、Ｖ相バスバー１２１ｂ、および、Ｗ相バスバー１２１ｃは、それぞれが外部接続端子１２１１、内部接続端子１２１２、および、外部接続端子１２１１と内部接続端子１２１２とを連結する略板状の腕部１２１３を有する。全ての外部接続端子１２１１は、分割要素２１Ｂの第２ティース２１１１ｂ上のインシュレータ２１２に配置される。図５および図７に示すように、バスバー１２１は、腕部１２１３の厚さ方向が径方向を向くようにインシュレータ２１２の溝２１２６に保持される。【００２０】
Ｕ相バスバー１２１ａの腕部１２１３は、分割要素２１Ｂの第２ティース２１１１ｂ上の外部接続端子１２１１から分割要素２１Ａの第１ティース２１１１ａ上の内部接続端子１２１２まで反時計回りに伸び、インシュレータ２１２の外側の溝２１２６に保持される。Ｖ相バスバー１２１ｂの腕部１２１３は、分割要素２１Ｂの第２ティース２１１１ｂ上の外部接続端子１２１１から、分割要素２１Ｃの第１ティース２１１１ａ上の内部接続端子１２１２まで時計回りに伸び、インシュレータ２１２の内側の溝２１２６に保持される。Ｗ相バスバー１２１ｃの腕部１２１３は、分割要素２１Ｂのティース２１１１ｂ上の外部接続端子１２１１から、分割要素２１Ｅの第１ティース２１１１ａ上の内部接続端子１２１２まで時計回りに伸び、インシュレータ２１２の外側の溝２１２６に保持される。【００２１】
中性点バスバー１２１ｄは、３つの内部接続端子１２１２および腕部１２１３を有する。中性点バスバー１２１ｄの３つの内部接続端子１２１２は、分割要素２１Ｂの第１ティース２１１１ａ上、分割要素２１Ｆの第１ティース２１１１ａ上、および、分割要素２１Ｄの第１ティース２１１１ａ上にそれぞれ配置される。また、中性点バスバー１２１ｄの腕部１２１３は、分割要素２１Ｂの第１ティース２１１１ａ上の内部接続端子１２１２から、分割要素２１Ｄの第１ティース２１１１ａ上の内部接続端子１２１２まで反時計回りに伸び、インシュレータ２１２の内側の溝２１２６に保持される。【００２２】
各バスバー１２１の内部接続端子１２１２は、分割要素２１Ａ〜２１Ｆの各第１ティース２１１１ａ上に配置される。図８に示すように、導線２１３１の導線端部２１３２は第１コイル２１３ａから上方に引き出され、導線端部２１３２は第１配線構造１２ａの各内部接続端子１２１２と溶接により接合される。図５に示すように、各内部接続端子１２１２は１ティースおきに配置されるため、溶接作業の際には結線作業を容易に行うことができる。また、Ｕ相バスバー１２１ａ、Ｖ相バスバー１２１ｂ、および、Ｗ相バスバー１２１ｃの各外部接続端子１２１１は、１２０度ずつ位相が異なるＵ相、Ｖ相、Ｗ相の外部電源端子とコネクタ部１２２を介して接続される。これにより、分割要素２１Ａ〜２１Ｆのそれぞれの導線２１３１の導線端部２１３２と外部電源とが、第１配線構造１２ａを介して電気的に接続される。【００２３】
図９は、電機子２１を模式的に示す底面図である。図９に示すように、配線部１２は、電機子２１の下面側に配置される第２配線構造１２ｂを有する。第２配線構造１２ｂは、導電性材料で形成される略板状の複数の配線部材として３つの下面バスバー１２１ｅを有する。電機子２１の下面側においても各インシュレータ２１２が有する２つの溝２１２６と隣接するインシュレータ２１２が有する２つの溝２１２６とが連なり、２つの溝がコアバックに沿って略周方向に伸びるとともに、径方向に並ぶ。【００２４】
各下面バスバー１２１ｅは、２つの内部接続端子１２１２および２つの内部接続端子１２１２を連結する略板状の腕部１２１３を有する。各内部接続端子１２１２は、分割要素２１Ａ〜２１Ｆの第２ティース２１１１ｂ上に配置される。各下面バスバー１２１ｅは、腕部１２１３の厚さ方向が径方向を向くようにしてインシュレータ２１２の２つの溝に保持される。各下面バスバー１２１ｅの両端の内部接続端子１２１２は、中心軸Ｊ１を挟んで対向する。下面バスバー１２１ｅの内部接続端子１２１２は、第２コイル２１３ｂから下方に引き出される導線端部２１３３に接続される。これにより、第２配線構造１２ｂは中心軸Ｊ１を挟んで対向する３対の分割要素における、各対の導線２１３１を接続する。【００２５】
図１０は、電機子２１における配線を模式的に示す図である。図１０では、導線２１３１およびバスバー１２１ａ〜１２１ｅを折れ線にて示している。分割要素２１Ａは、第１コイル２１３ａの上側の導線端部２１３２にてＵ相バスバー１２１ａに接続される。分割要素２１Ａおよび分割要素２１Ｄは、それぞれの第２コイル２１３ｂの下側の導線端部２１３３にて下面バスバー１２１ｅに接続される。分割要素２１Ｄは、第１コイル２１３ａの上側の導線端部２１３２にて中性点バスバー１２１ｄに接続される。これにより、分割要素２１Ａおよび分割要素２１Ｄが直列に接続されてＵ相に対応するコイル群が形成される。【００２６】
また、分割要素２１Ｃは、第１コイル２１３ａの上側の導線端部２１３２にてＶ相バスバー１２１ｂに接続される。分割要素２１Ｃおよび分割要素２１Ｆは、それぞれの第２コイル２１３ｂの下側の導線端部２１３３にて下面バスバー１２１ｅに接続される。分割要素２１Ｆは、第１コイル２１３ａの上側の導線端部２１３２にて中性点バスバー１２１ｄに接続される。これにより、分割要素２１Ｃおよび分割要素２１Ｆが直列に接続されてＶ相に対応するコイル群が形成される。同様に、分割要素２１Ｅは、第１コイル２１３ａの上側の導線端部２１３２にてＷ相バスバー１２１ｃに接続される。分割要素２１Ｅおよび分割要素２１Ｂは、それぞれの第２コイル２１３ｂの下側の導線端部２１３３にて下面バスバー１２１ｅに接続される。分割要素２１Ｂは、第１コイル２１３ａの上側の導線端部２１３２にて中性点バスバー１２１ｄに接続される。これにより、分割要素２１Ｅおよび分割要素２１Ｂが直列に接続されてＷ相に対応するコイル群が形成される。【００２７】
以上のように、第１配線構造１２ａおよび第２配線構造１２ｂにより、外部電源の各相の端子と中性点との間に１対の分割要素が配置され、３相に対応する３対の分割要素がスター結線にて接続される。【００２８】
図１１は、第１の好ましい実施形態の他の例に係る電機子２１を模式的に示す図である。図１１に示すように、電機子２１ではコイルがデルタ結線にて接続される。電機子２１の上面側に配置される第１配線構造１２ａは、Ｕ相バスバー１２１ａ、Ｖ相バスバー１２１ｂ、および、Ｗ相バスバー１２１ｃ（以下、「バスバー１２１」と総称する。）を有する。各バスバー１２１は外部接続端子１２１１、２つの内部接続端子１２１２、および、外部接続端子１２１１と内部接続端子１２１２とを連結する略板状の腕部１２１３を有する。全ての外部接続端子１２１１は、分割要素２１Ｂの第２ティース２１１１ｂ上に配置される。バスバー１２１ａ〜１２１ｃは、腕部１２１３の厚さ方向が径方向を向くように溝２１２６に保持される。【００２９】
Ｕ相バスバー１２１ａの２つの内部接続端子１２１２は、分割要素２１Ｂの第１ティース２１１１ａ上、および、分割要素２１Ａの第１ティース２１１１ａ上にそれぞれ配置される。また、Ｕ相バスバー１２１ａの腕部１２１３は、分割要素２１Ｂの第２ティース２１１１ｂ上の外部接続端子１２１１から分割要素２１Ａの第１ティース２１１１ａ上の内部接続端子１２１２まで反時計回りに伸び、インシュレータ２１２の内側の溝２１２６に保持される。Ｖ相バスバー１２１ｂの２つの内部接続端子１２１２は、分割要素２１Ｃの第１ティース２１１１ａ上、および、分割要素２１Ｄの第１ティース２１１１ａ上にそれぞれ配置される。また、Ｖ相バスバー１２１ｂの腕部１２１３は、分割要素２１Ｂの第２ティース２１１１ｂ上の外部接続端子１２１１から、分割要素２１Ｄの第１ティース２１１１ａ上の内部接続端子１２１２まで時計回りに伸び、インシュレータ２１２の内側の溝２１２６に保持される。Ｗ相バスバー１２１ｃの２つの内部接続端子１２１２は、分割要素２１Ｅの第１ティース２１１１ａ上、および、分割要素２１Ｆの第１ティース２１１１ａ上にそれぞれ配置される。また、Ｗ相バスバー１２１ｃの腕部１２１３は、分割要素２１Ｂの第２ティース２１１１ｂ上の外部接続端子１２１１から、分割要素２１Ｆの第１ティース２１１１ａ上の内部接続端子１２１２まで時計回りに伸び、インシュレータ１２１の内側の溝２１２６に保持される。【００３０】
各バスバー１２１の内部接続端子１２１２は、分割要素２１Ａ〜２１Ｆの各第１ティース２１１１ａ上に配置される。第１コイル２１３ａおよび第２コイル２１３ｂを形成する導線２１３１の導線端部２１３２が上方に引き出され、導線端部２１３２は各内部接続端子１２１２と溶接により接合される。この場合においても、各内部接続端子１２１２が１ティースおきに配置されることにより、結線作業を容易に行うことができる。また、図１０と同様に、第２配線構造１２ｂの下面バスバー１２１ｅは、３対の分割要素における各対の導線２１３１を接続する。以上のように、各外部接続端子１２１１が外部電源と接続され、各内部接続端子１２１２が導線２１３１に接続されることにより、電機子２１の第１コイル２１３ａおよび第２コイル２１３ｂは外部電源と電気的に接続される。【００３１】
図１２は、図１１に示す電機子２１の配線を模式的に示す図である。図１２では、導線２１３１、バスバー１２１ａ〜１２１ｃ，１２１ｅを折れ線にて示している。分割要素２１Ａは、第１コイル２１３ａの上側の導線端部２１３２にてＵ相バスバー１２１ａに接続される。分割要素２１Ａおよび分割要素２１Ｄは、それぞれの第２コイル２１３ｂの下側の導線端部２１３３にて、下面バスバー１２１ｅに接続される。分割要素２１Ｄは、第１コイル２１３ａの上側の導線端部２１３２にて、Ｖ相バスバー１２１ｂに接続される。これにより、分割要素２１Ａおよび分割要素２１Ｄの第１コイル２１３ａおよび第２コイル２１３ｂがＵ−Ｖ相間に直列に接続される。【００３２】
また、分割要素２１Ｃは、第１コイル２１３ａの上側の導線端部２１３２にてＶ相バスバー１２１ｂに接続される。分割要素２１Ｃおよび分割要素２１Ｆは、それぞれの第２コイル２１３ｂの下側の導線端部２１３３にて、下面バスバー１２１ｅに接続される。分割要素２１Ｆは、第１コイル２１３ａの上側の導線端部２１３２にてＷ相バスバー１２１ｃに接続される。これにより、分割要素２１Ｃおよび分割要素２１Ｆの第１コイル２１３ａおよび第２コイル２１３ｂが、Ｖ−Ｗ相間に直列に接続される。【００３３】
さらに、分割要素２１Ｅは、第１コイル２１３ａの上側の導線端部２１３２にてＷ相バスバー１２１ｃに接続される。分割要素２１Ｅおよび分割要素２１Ｂは、それぞれの第２コイル２１３ｂの下側の導線端部２１３３にて、下面バスバー１２１ｅに接続される。分割要素２１Ｂは、第１コイル２１３ａの上側の導線端部２１３２にてＵ相バスバー１２１ａに接続される。これにより、分割要素２１Ｅおよび分割要素２１Ｂの第１コイル２１３ａおよび第２コイル２１３ｂが、Ｗ−Ｕ相間に直列に接続される。以上のように、第１配線構造１２ａおよび第２配線構造１２ｂにより、各相間に１対の分割要素が配置され、３相間に対応する３対の分割要素がデルタ結線にて接続される。【００３４】
以上に説明したように、第１の好ましい実施形態に係るモータ１では、図８および図１０（または図１２）に示すように、各分割要素２１Ａ〜２１Ｆが同一構造を有し、点対称な構造となっている。この構造により、電機子２１の組立時に分割要素２１Ａ〜２１Ｆの上下の区別をする必要がなく、組立の作業効率が向上される。また、電機子２１の上面および下面においてバスバー１２１が径方向に並ぶことにより、モータ１の高さを低く抑えることができる。また、径方向に並ぶバスバー１２１の数が最大でも２本とされることにより、モータ１の外径を小さくすることができる。さらに、１ティースおきにて内部接続端子１２１２と導線端部２１３２とが溶接されることにより、配線部１２と電機子２１とを容易に接合することができる。【００３５】
図１３は、本発明の第２の好ましい実施形態に係るモータ１ａを模式的に示す断面図である。モータ１ａは、図１のモータ１と比較して、樹脂プレート１１が省略され、配線部１２の構造が相違している。配線部１２の第１配線構造１２ａは、４本のバスバー１２１の一部が樹脂にてモールドされた略円板状のバスバーユニット１２３を有する。電機子２１の下面側に配置される第２配線構造１２ｂは、図９と同様の構造となっている。また、電機子２１は、図１０に示す配線と同様に、スター結線にて配線される。なお、本実施形態において、インシュレータ２１２の上面では、図６および図７に示す溝２１２６が省略される。また、電機子２１は、図４および図８に示すものと同様に分割要素２１Ａ〜２１Ｆが略環状に配列されたものとなっている。【００３６】
図１４は、バスバーユニット１２３を模式的に示す斜視図である。図１４に示すように、バスバーユニット１２３は、略中央に穴部を有する円板部１２３１、および、円板部１２３１の側面から突出し電機子２１と係合する脚部１２３２を有する。バスバーユニット１２３は、Ｕ相バスバー１２１ａ、Ｖ相バスバー１２１ｂ、Ｗ相バスバー１２１ｃ、および、センサ部５の回路基板が配置される回路基板配置部１２３３を有する。図１４に示すように、各バスバー１２１が有する外部接続端子１２１１は一箇所に集められ、回路基板配置部１２３３と共にステータカバー２２の外部に突出するコネクタ部１２２を形成する。【００３７】
図１４に示すように、各バスバー１２１の内部接続端子１２１２は、図５に示す内部接続端子１２１２と同様に６０度毎に等間隔で配置される。また、複数のバスバー１２１は樹脂モールドにより互いに固定される。さらに、第２配線構造１２ｂも、図９に示す第２配線構造１２ｂと同様に６０度毎の回転対称な構造を有する。この構造により、バスバーユニット１２３を電機子２１に対して６０度毎の任意の向きにて接続しても、結線ミスとはならないため、組立時の結線ミスを防止することができる。また、内部接続端子１２１２が１ティースおきに配置されることにより、溶接による内部接続端子１２１２と導線との接続作業が容易とされる。なお、電機子２１の配線はスター結線には限定されず、図１１および図１２に示すようにデルタ結線とされてもよい。この場合においても、組立時の結線ミスを防止することができる。【００３８】
以上に説明したように、第２の好ましい実施形態に係るモータ１ａにおいても、電機子２１の組立時に各分割要素２１Ａ〜２１Ｆの上下の区別をする必要がないため、組立の作業効率が向上される。また、電機子２１の下面において、バスバー１２１が径方向に並ぶことによりモータ１ａの高さを低く抑えることができる。さらに、径方向に並ぶバスバー１２１の数が最大でも２本とされることにより、モータ１ａの外径を小さくすることができる。また、１ティースおきに溶接にて電機子２１が結線されることにより、配線部１２と電機子２１とを容易に接合することができる。【００３９】
以上、本発明の好ましい実施形態について説明してきたが、本発明は上記実施形態に限定されるものではなく、様々な変更が可能である。図１に示すモータ１では、ロータ部３の磁極数は１０には限定されず、例えば１４でもよい。モータ１はインナロータ型には限定されず、ロータ部３の界磁用磁石３３が電機子２１の外周に対向するアウタロータ型のモータであってもよい。【００４０】
図８に示す分割要素２１Ａにおける導線の巻回方向は、第１コイル２１３ａと第２コイル２１３ｂとで逆方向であればよく、第１コイル２１３ａの巻回方向が時計回りであり、第２コイル２１３ｂの巻回方向が反時計回りであってもよい。この場合、一方の導線端部２１３２はティース２１１１ａ，２１１１ｂの間から上方に引き出され、他方の導線端部２１３３はティース２１１１ａ，２１１１ｂの間から下方に引き出される。【００４１】
各分割要素２１Ａ〜２１Ｆの２つのインシュレータ２１２を構成する４つのインシュレータ部品２１２１は、周方向に並ぶ２つのインシュレータ部品２１２１が一体に形成され、２つのティースを上下から覆う２つの部品とされてもよい。さらには、１つの部品により２つのティース全体が覆われてもよい。また、インシュレータ２１２に設けられる溝２１２６の数は３以上であってもよい。【００４２】
モータ１，１ａは自動車においてパワースライドドアの駆動源以外の用途に用いられてもよい。例えば、トランスミッションの中のオイルを循環させるためのポンプの駆動源に使用されてもよい。また、モータ１，１ａは自動車以外の用途に用いられてもよい。
【図１】
2009113520.tif 000003
【図２】
2009113520.tif 000004
【図３】
2009113520.tif 000005
【図４】
2009113520.tif 000006
【図５】
2009113520.tif 000007
【図６】
2009113520.tif 000008
【図７】
2009113520.tif 000009
【図８】
2009113520.tif 000010
【図９】
2009113520.tif 000011
【図１０】
2009113520.tif 000012
【図１１】
2009113520.tif 000013
【図１２】
2009113520.tif 000014
【図１３】
2009113520.tif 000015
【図１４】
2009113520.tif 000016
【国際調査報告】
2009113520.tif 000017
2009113520.tif 000018
2009113520.tif 000019
2009113520.tif 000020